(57)【要約】      （修正有）【課題】塵埃の多い場所で作業する建設機械において、熱交換機に導入する冷却風中の塵埃を確実に捕獲するフィルタ装置を提供する。【解決手段】冷却風導入用開口部を有するガードを、前記熱交換器の冷却風上流部を外部に対して開放可能とし、フィルタ装置１１は第１の冷却風通風開口３０を通してのみ冷却風が熱交換器に導入されるように略気密に前記開口部に固定される第１フレーム１２と、前記第１の冷却風通風開口３０を塞ぐように前記第１フレーム１２に固着された目の粗い第１フィルタ２０と、第２の冷却風通風開口３３を備えた第２フレーム１３と、前記第２の冷却風通風開口３３を塞ぐように取り付けられる前記第１フィルタ２０より目の細かい第２フィルタ２１とを有し、前記第１フレーム１２と第２フレーム１３は、第２フレーム１３の閉じ時にそれぞれ第１および第２フィルタ２０，２１を通してのみ冷却風が熱交換器に導入されるように略気密に固定した。【選択図】図３
2006328665.tif 000002
【特許請求の範囲】
【請求項１】
建設機械に搭載された熱交換器と、
前記熱交換器を外部から遮蔽するように覆うガードと、
前記ガードに設けられた熱交換器に冷却風を取り込むための開口部と、
前記開口部に装着されるフィルタ装置を備える建設機械において、
前記開口部が設けられるガードは、前記熱交換器の冷却風上流部を外部に対して開放可能な開閉式ガードであり、
前記フィルタ装置は、
第１の冷却風通風開口を備え、前記第１の冷却風通風開口を通してのみ、実質的に冷却風が熱交換器に導入されるように略気密に前記開口部に固定される第１フレームと、
前記第１の冷却風通風開口を塞ぐように前記第１フレームに対して固着された目の粗い第１フィルタと、
前記第１フレームに対して着脱可能に取り付けられ、第２の冷却風通風開口を備えた第２フレームと、
前記第２の冷却風通風開口を塞ぐように取り付けられる前記第１フィルタに比して相対的に目の細かい第２フィルタと、を有し、
前記第１フレームに第２フレームが取り付けられた状態では、それぞれの冷却風通風開口に取り付けられたそれぞれ第１および第２フィルタを通してのみ、実質的に冷却風が熱交換器に導入されるように略気密に第２フレームが第１フレームに固定されるようにしたことを特徴とする建設機械のフィルタ装置。
【請求項２】
前記第２フレームの閉じ状態時に、前記第１フレームと前記第２フレームが、それぞれの冷却風通風開口の外周で全周にわたってシール部材を介して接するようにしたことにより、
前記第１フレームと第２フレームが、前記第２フレームの閉じ状態時に、それぞれの冷却風通風開口に取り付けられたそれぞれ第１および第２フィルタを通してのみ、実質的に冷却風が熱交換器に導入されるように略気密に固定されるようにしたことを特徴とする特許請求の範囲請求項１記載の建設機械のフィルタ装置。
【請求項３】
前記ガードに設けられた開口部と、前記第１フレームとの間にシール部材を介在させたことを特徴とする特許請求の範囲請求項１あるいは２記載の建設機械のフィルタ装置。
【請求項４】
前記第１および第２フレームは、前記ガードより強度を有する部材で構成されたことを特徴とする特許請求の範囲請求項１乃至３何れか一項記載の建設機械のフィルタ装置。
【請求項５】
前記ガードは水平方向に開閉可能であり、前記第２フレームは前記第１フレームに対して略水平方向に開閉可能で、かつ着脱可能であることを特徴とする特許請求の範囲請求項１乃至４何れか一項記載の建設機械のフィルタ装置。
【請求項６】
前記第２フレームは、その周縁部に壁部を備えてボックス状に構成され、
前記第２フィルタは断面波形に形成され、
前記第２フィルタは、前記第２フレームのボックス状内部に内装されたことを特徴とする特許請求の範囲請求項１乃至５何れか一項記載の建設機械のフィルタ装置。
【請求項７】
前記第１フィルタと前記第２フィルタは、前記第２フレームの閉じ状態時に当接しないようにしたことを特徴とする特許請求の範囲請求項１乃至６何れか一項記載の建設機械のフィルタ装置。
【請求項８】
前記第１フィルタは断面波形に形成され、
前記第２フィルタより波形のピッチが大きく設定されたことを特徴とする特許請求の範囲請求項１乃至７何れか一項記載の建設機械のフィルタ装置。
【請求項９】
前記第１および第２フィルタは、金属部材で構成されたことを特徴とする特許請求の範囲請求項１乃至８何れか一項記載の建設機械のフィルタ装置。
【発明の詳細な説明】
【技術分野】
【０００１】
本発明は油圧ショベル等の建設機械において、ラジエータやオイルクーラー等の熱交換器に送られる冷却空気中から塵埃を捕獲除去するフィルタ装置に関するものである。
【背景技術】
【０００２】
油圧ショベルを例にとって従来の技術を説明する。
【０００３】
油圧ショベルは、クローラ式の下部走行体上に作業アタッチメントを備えた上部旋回体が搭載されて構成され、上部旋回体の後部に図１０に示すエンジンルーム１０１が設けられている。
【０００４】
このエンジンルーム１０１には、エンジン１０２と、このエンジン１０２によって駆動される油圧ポンプ１０３が設けられるとともに、エンジン１０２の前面側に、エンジン冷却用のラジエータ１０４と作動油冷却用のオイルクーラー１０５が並んで設置され、かつ、ラジエータ１０４とエンジン１０２との間にファン１０６が設けられている。
【０００５】
このファン１０６の回転により、エンジンルーム１０１を形成するガード１０７に設けられた開口部１０８から外気が吸い込まれ、冷却風（矢印Ａの方向）としてラジエータ１０４及びオイルクーラー１０５を通過する。
【０００６】
この場合、冷却風に含まれた塵埃によってラジエータ１０４やオイルクーラー１０５が目詰まりを起こさないようにフィルタ装置１０９が設けられている。
【０００７】
さらに図１１に示す特許文献１に記載されたフィルタ装置によれば、フィルタ本体１１３が、断面波形の目の細かいフィルタ層１１４と、その前面に密着状態で設けられた目の粗い補助フィルタ層（前側支持体）１１５が備えられており、これにより補助フィルタ層１１５で綿屑や木屑等の大粒子の塵埃を捕獲し、土埃等の小粒子の塵埃はフィルタ層１１４で捕獲でき、これらが密着状態であるため、補助フィルタ層１１５を通過した大粒子の塵埃が補助フィルタ層１１５とフィルタ層１１４の間に入り、フィルタ層１１４を目詰まりさせてしまうことを防止できるものである。
【０００８】
またフィルタ層１１４を波形としたことにより、フィルタ層１１４の剛性・強度を高め、風圧等による変形を押さえることができるものである。
【特許文献１】特開２００４−２２５２７８号公報
【発明の開示】
【発明が解決しようとする課題】
【０００９】
しかしながら、特許文献１に記載された従来のフィルタ装置では、フィルタ層１１４と補助フィルタ層１１５よりなるフィルタ本体が同一の本体取付枠に取り付けられることにより全体として剛性を確保しており、フィルタ層１１４および補助フィルタ層１１５を清掃しようとした場合、フィルタ層１１４を本体取付枠より取り外し（必要に応じては補助フィルタ層１１５も取り外す）、剛性が確保されない状態でフィルタ層１１４に例えばエアガンにより清掃風を吹き付けるなどしてフィルタ層１１４の冷却風上流側に堆積した塵埃を取り除かなければならず、フィルタ層１１４を変形させてしまう恐れがあった。
【００１０】
また、フィルタ層１１４および補助フィルタ層１１５が単独で本体取付枠から取り外せるように構成されているため、繰り返しの清掃により徐々にフィルタ層１１４あるいはフィルタ層１１５が変形し、両方あるいは何れか一方のフィルタ層を通過しない冷却風が熱交換器に達する恐れがあった。
【００１１】
また、フィルタ層１１４と補助フィルタ層１１５を密着状態とするため、両者の波形のピッチを同一にしなければならず、それぞれの機能に応じたフィルタ表面積を確保することができなかった。
【課題を解決するための手段】
【００１２】
請求項１記載の発明によれば、建設機械に搭載された熱交換器と、前記熱交換器を外部から遮蔽するように覆うガードと、前記ガードに設けられた熱交換器に冷却風を取り込むための開口部と、前記開口部に装着されるフィルタ装置を備える建設機械において、前記開口部が設けられるガードは、前記熱交換器の冷却風上流部を外部に対して開放可能な開閉式ガードであり、前記フィルタ装置は、第１の冷却風通風開口を備え、前記第１の冷却風通風開口を通してのみ、実質的に冷却風が熱交換器に導入されるように略気密に前記開口部に固定される第１フレームと、前記第１の冷却風通風開口を塞ぐように前記第１フレームに対して固着された目の粗い第１フィルタと、前記第１フレームに対して着脱可能に取り付けられ、第２の冷却風通風開口を備えた第２フレームと、前記第２の冷却風通風開口を塞ぐように取り付けられる前記第１フィルタに比して相対的に目の細かい第２フィルタと、を有し、前記第１フレームに第２フレームが取り付けられた状態では、それぞれの冷却風通風開口に取り付けられたそれぞれ第１および第２フィルタを通してのみ、実質的に冷却風が熱交換器に導入されるように略気密に第２フレームが第１フレームに固定されるようにした。
【００１３】
この構成によれば、熱交換器に導入される冷却風は、目の粗い第１フィルタにより綿屑、木屑等の大きな塵埃が捕獲され、この第１フィルタを通過した小さな塵埃が目の細かい第２フィルタで捕獲される。これにより、目の細かいフィルタのみで塵埃を捕獲した場合に比して、大きな塵埃で早々にフィルタが目詰まりしてしまうことなく、確実に小さな塵埃を捕獲することができる。
【００１４】
さらにフィルタがそれぞれ第１および第２フレームに固定されており、第１フレームを一般的に薄鋼板や樹脂で構成されることが多いガードの開口部の外周に固定するようにしたため、第１フレームにより比較的変形し易いガードを補強できるとともに、これらの取付状態において第１フレームとガード内面間における隙間の発生を極減することができ、確実に第１フレームの第１の冷却風通気開口に取り付けられた第１フィルタを介して冷却風を導入することができる。
【００１５】
さらに、第１フレームに対して第２フレームを着脱可能に、かつ略気密に取り付けたことにより、第１フレームと第２フレーム間においても冷却風の隙間からの侵入を防ぐようにすることができる。これにより、第１フレームに第２フレームが取り付けられた状態においては、この第１フレームと第２フレームにより囲まれる空間は、第１フィルタおよび第２フィルタを介してのみ外部と冷却風の流通が実質的にできるように構成され、全体としてボックス構造となる。これによりフィルタ装置が強固に構成され、建設機械の振動等による経年劣化でガタツキや隙間が発生すること抑制でき、第１および第２フィルタの両方を通過せずに熱交換器に冷却風が導入されることを防止することができる。
【００１６】
また、第２フレームに固定されている第２フィルタは、第２フレームごと第１フレームから取り外すことができ、着脱作業が容易であるとともに、第２フィルタを落下や他のものに衝突させて外周形状を変形させることがなく、またエアガン等による清掃によっても外周形状が変形することがない。このためフィルタ外周形状の変形による隙間を発生させることがなく、確実に第１および第２フィルタを通過させた冷却風のみ熱交換器に導入することができる。
【００１７】
第２フレームを取り外した状態であれば、ガードを開放した状態で内側からエアガン等で清掃風を吹き付けるなどして、第１フィルタに溜まった塵埃を吹き飛ばして清掃することができる。なお第１フィルタも第１フレームに固定されているため、この清掃作業により第１フィルタの外周形状が変形してフィルタ周りに隙間が発生することがなく、第１フィルタを通過せずに冷却風が第２フィルタ側へ導入されることを防止できる。なお、第１フレームをガードから取り外して清掃するようにすることも可能であり、この場合は第２フレームと同様の効果を得ることができる。
【００１８】
さらに請求項２記載の発明によれば、前記第２フレームの閉じ状態時に、前記第１フレームと前記第２フレームが、それぞれの冷却風通風開口の外周で全周にわたってシール部材を介して接するようにしたので、第１フレームに第２フレームを取り付ける際に、両フレーム間自体には隙間を設けて組み付け作業を容易にしながらも、両フレーム間の隙間をなくし、冷却風の隙間からの侵入を実質的に防止することができる。
【００１９】
さらに請求項３記載の発明によれば、前記ガードに設けられた開口部と、前記第１フレームとの間にシール部材を介在させたので、ガードと第１フレーム間に発生する隙間を無くし、冷却風の隙間からの侵入を実質的に防止することができる。また、一般的に三次元形状とされることが多いガードと、一般的に鋼材などの曲げ加工等で形成されることが多いフレーム間であっても、容易に隙間を埋めることができる。
【００２０】
さらに請求項４記載の発明によれば、前記第１および第２フレームは、前記ガードより強度を有する部材で構成したので、上述した作用効果をより確実に得ることができる。
【００２１】
さらに請求項５記載の発明によれば、前記ガードは水平方向に開閉可能であり、前記第２フレームは前記第１フレームに対して略水平方向に開閉可能でかつ着脱可能としたので、第２フレームを取り外さなくても、ガードを開放した状態で第２フレームを第１フレームに対して開放すれば、第１および第２フレームの両方とも内側（熱交換器側）からエアガン等で清掃風を吹き付けるなどして塵埃を吹き飛ばして清掃することができる。
【００２２】
さらに請求項６記載の発明によれば、前記第２フレームは、その周縁部に壁部を備えてボックス状に構成され、前記第２フィルタは断面波形に形成され、前記第２フィルタは、前記第２フレームのボックス状内部に内装したので、第２フレームを取り外した状態で例えば地面に第２フィルタを置いたとしても、第２フィルタが地面に接しにくくできるなど、第２フィルタの外周形状だけでなく、フィルタ面全体にわたってより一層保護することができる。
【００２３】
さらに請求項７記載の発明によれば、前記第１フィルタと前記第２フィルタは、前記第２フレームの閉じ状態時に当接しないようにしたので、第１フィルタと第２フィルタそれぞれの形状に制約がなく、所望の形状とすることができる。
【００２４】
さらに請求項８記載の発明によれば、前記第１フィルタは断面波形に形成され、前記第２フィルタより波形のピッチを大きく設定した。例えば、大きな綿埃や木屑などが断面波形のフィルタに捕獲される場合、隣り合う波形形状の頂点間にわたって例えば木屑が吸い付けられる可能性があり、フィルタの有効面であるこの頂点間のフィルタ面は機能しない状態となってしまう。第１フィルタは大きな塵埃を捕獲することが目的であるので、必要以上にフィルタの有効面積を確保すべく波形のピッチを小さくすれば、先述の問題が発生し、第１フィルタの機能が低下する恐れがある。逆に第２フィルタは第１フィルタにより大きな塵埃が除去された後の小さな塵埃を捕獲するものであるので、波形のピッチを小さくしてフィルタの有効面積を大きくした方が有利である。すなわち、この発明では、冷却風の上流側にある第１フィルタは大きな塵埃を捕獲するために有効であるピッチの大きな波形断面とし、下流側にあり目の細かい第２フィルタはピッチの小さな波形断面としたものである。なお、第１フィルタは平面フィルタであってもよいが、この場合、フィルタ自体の強度が若干犠牲になり、またそれほど大きくはないものの、第１フィルタの目に捕獲される程度の中程度の塵埃を捕獲するフィルタの有効面積が小さくなる。
【００２５】
さらに請求項９記載の発明によれば、前記第１および第２フィルタは、金属部材で構成したので、フィルタ自体の強度を確保するとともに、例えば波形形状に形成するにあたっても、フィルタ自体により形状を維持させることができる。
【発明の効果】
【００２６】
本発明によれば、熱交換器に導入する冷却風を、確実に目の粗い第１フィルタと目の細かい第２フィルタを通過させて取り込むことができ、塵埃の捕獲を確実とすることができるとともに、フィルタ装置の構造強度を高めることができ、建設機械の振動等による経年劣化や、フィルタの清掃作業における意図しない衝撃などによるフィルタの変形、損傷を防ぐとともに、清掃作業性やフィルタ装置の組み付け容易性を確保することができる。
【発明を実施するための最良の形態】
【００２７】
以下、図面に示した実施の形態に基づいて本発明を詳細に説明する。
【００２８】
図１は、本発明の第一実施形態のフィルタ装置を装着した油圧ショベル１を示す側面図である。図において、２は下部走行体、３は上部旋回体、４は上部旋回体に起伏自在に連結された作業アタッチメント、５は上部旋回体上に載置されたキャブ、６はカウンタウエイト、７は開閉可能なガード、８はガードに設けられた吸気用の開口部である。
【００２９】
図２は、図１の油圧ショベルのＢ−Ｂ断面の一部を示す模式図である。図において、１０は熱交換器の一つであるラジエータであり、この熱交換器にはオイルクーラ、エアコン用コンデンサ、インタークーラ等が並べて、あるいは前後に重ねて配置されているが、ここではラジエータのみ示している。１１はフィルタ装置、１２は第１フレーム、１３は第２フレーム、１４は第１フレーム１２とガード７内面間に配置されたシール部材、１５は第１フレームと第２フレーム間に配置されたシール部材である。矢印Ａは従来技術同様に冷却風の流れを示す。
【００３０】
図３は、ガード７、第１フレーム１２，第２フレーム１３を組み付けた状態を示す図２のＣ−Ｃ断面図である。図において、２０は第１フィルタ、２１は第２フィルタ、２２は第２フレームに設けられたハンドル、２３は上部旋回体３の外装（カウンタウエイト６およびガード７以外のガード）であり、ガード７と共に開閉しない。２４はピン、２５は第１フレーム１２の取付部、２６は第２フレーム１３の取付部、２７は第２フレームの縦壁部であり、この縦壁部２７により第２フィルタ２１の外周縁が四方から覆われており、これにより第２フィルタ２１はボックス形状となっている。２８は第２フレーム１３に設けられた引っ掛け部、２９はガード７を開閉するためのヒンジである。また、図中破線で示すのは、ガード７を開放した状態である。
【００３１】
図４は、図３と同様の図であるが、ガード７を開放した状態において第２フレーム１３を取り外した状態を示す。
【００３２】
さらに図５は第１フレーム１２および第１フィルタ２０を示す図であり、図６は第２フレーム１３および第２フィルタ２１を示す図である。図７は第１フレーム１２へ第２フレーム１３を組み付ける途中の状態を示す図である。また図８は第１フレーム１２正面から見た図であり、３０は第１の冷却風通風開口、３１、３２はそれぞれボルト穴である。図９は第２フレーム１３および第２フィルタ２１を正面から見た図であり、３３は第２の冷却風通風開口、３４はボルト穴、３５は縦壁部２７から開口側へ縁設された縁部である。なお、図３から図７においてシール部材１４，１５は図中で省略している。
【００３３】
以下にこれらの図に基づいて、本発明の第一実施形態のフィルタ装置の構造および作用を説明する。
【００３４】
冷却風は図２の矢印Ａのように、ガード７の開口部８、第１フレーム１２の第１の冷却風通風開口３０を覆うように固定されている第１フィルタ２０、第２フレーム１３の第２の冷却風通風開口３３を覆うように固定されている第２フィルタ２１を通過して、ラジエータ１０に導入される。
【００３５】
ここで、ガード７内面の開口部８外周と第１フレーム１２のこれに対向する面の間にはシール部材１４が全周にわたって介在している。このシール部材１４は予め第１フレーム１２に貼り付けしておき、その後ガード７に第１フレーム１２を組み付けることにより、これらの間に安定的に固定されている。なお、第１フレーム１２は図８に示すボルト穴３２を利用してガード７にボルトにより締め付け固定されており、気密性を確保するため、このボルト穴３２は本実施形態では６個設けられている。このため第１フレーム１２はガード７に対して着脱も可能ではあるが、その着脱作業には手間が掛かる。しかしながら、この第１フレームは後述するが、通常は取り外すことは少ない。
【００３６】
この実施形態では第１フレーム１２、第２フレーム１３共に鋼材により形成されている。この第１フレーム１２をこの実施形態では薄鋼板で構成されているガード７に上述したように固定したことにより、ガード７の強度を上げることができ、開口部８を形成したことによる強度低下を防止することができる。これにより開口部８はその開口量を大きく確保することができている。また、高強度な第１フレーム１２に対して、相対的に強度の低いガード７を組み付けるようにしたことにより、先に述べた気密性はより高くなっている。なお、ガード７は三次元形状に形成されているが、ガード７と第１フレーム１２間には先に述べたとおりシール部材１４が介在しているため、隙間が発生することはない。
【００３７】
第１フレーム１２は第１の冷却風通風開口３０が開口される額縁形状を有しており、この第１の冷却風通風開口３０を覆うように第１フィルタ２０が固定されている。第１フレーム１２に対して第１フィルタ２０は隙間無く固定されており、その取付にあたっては、第１フィルタ２０の周縁部を第１フィルタ２０の形状に合わせた押さえ部材（図示しない）で押さえるようにすればよい。なお、溶接や接着により取り付けてもよい。
【００３８】
第２フレーム１３は第２の冷却風通風開口３３が開口される額縁形状を有しており、さらに縦壁部２７が四方に立設され、さらにこの縦壁部２７から開口内方向に向けて縁部が縁設されることにより、厚みをもったボックス形状とされている。第２フィルタ２１はこのボックス形状内に内装されるように取り付けられ、第１フィルタ同様に隙間無く固定されている。第２フィルタ２１は縦壁部２７，縁部３５によりその周縁部が保護されており、さらにボックス形状により強度を高めているため、頻繁に取り外して清掃作業を行ったとしても、地面に第２フレーム１３を置いても第２フィルタ２１は設置しにくく、また取り外し中や清掃中に誤って第２フレーム１３を何かに強く当てたとしても、第２フィルタ２１が変形するなどして隙間が生じてしまうことを防止でき、その取扱いが極めて容易となっている。
【００３９】
第１フレーム１２の一辺にはピン２４が両端を支持された状態で取り付けられている。一方第２フレーム１３の一辺には引っ掛け部２８が形成されている。第２フレームを第１フレームに取り付けるにあたっては、まず、このピン２４に引っ掛け部２８を引っ掛けた状態で第２フレーム１３の引っ掛け部２８側が第１フレーム１２から離間しようとする動きを規制し、その状態で第１フレーム１２と第２フレーム１３間に取り付けられている（第１フレーム１２あるいは第２フレーム１３の何れかに予め貼り付け固定されている）シール部材１５を弾性変形させつつ、第１フレーム１２の取付部２５と第２フレーム１３の取付部２６が接するように押さえつける。この状態でボルト穴３４，３１を利用して両者を締め付け固定する。このように構成したことにより、第２フレーム１３は第１フレーム１２からこの実施形態では２本のボルトの着脱のみで取付外しが可能であり、着脱作業が非常に容易で、かつ両フレーム間の気密性を確保することができる。なお、第２フレーム１３の着脱作業にあたっては、ハンドル２２を把持することにより、より容易に作業が行える。
【００４０】
なお、第２フレーム１３の取り外し作業にあたっては、図３に示すようにガード７をヒンジ２９周りに回動させて開放し、先述したとおりボルト穴３１，３４を貫通して締結しているボルトを緩めて取り外し、ハンドル２２を把持して取付部２６側をまず取付部２５から離間させる方向に移動させる（図７に示す状態。）。さらに引っ掛け部２８とピン２４の係合状態を解除するように第２フレーム１３を動かして取り外す。取り外した後に第２フィルタ２１の冷却風下流側から上流側方向に向けて、例えばエアガンなどで清掃風を当てて溜まった塵埃を吹き飛ばす。第２フレーム１３を取り外した状態では、図４に示すように第１フィルタ２０はガード７の内面側から開放された状態となっている。この状態でガード７の内面側（すなわち冷却風の下流側方向）から外側（すなわち冷却風の上流側方向）に向けてエアガンなどで清掃風を当てて、溜まった塵埃を吹き飛ばすことができる。したがって一般的な清掃にあたっては、第１フレーム１２はガード７から取り外す必要がない。ただし、強固に塵埃などがこびり付いた場合は、ボルトを外して取り外して清掃することができる。
【００４１】
第１フィルタ２０はこの実施形態ではステンレスメッシュ材を波形に折り曲げて形成している。また第２フィルタ２１もステンレスメッシュ材を波形に折り曲げて形成しているが、ステンレスメッシュ材は第１フィルタ２０の方が第２フィルタ２１より相対的に目が粗くなっている。この実施形態では第１フィルタは１６メッシュであり、第２フィルタは６０メッシュを使用している。また波形形状については、第１フィルタ２０が第２フィルタ２１より波形頂点間もピッチが大きく形成されており、この実施形態では、第１フィルタの隣り合う頂点間の距離が４５ｍｍであり、第２フィルタの頂点間の距離が２０ｍｍとなっている。当然のことながら、メッシュサイズも波形頂点間の距離も、必要に応じて適宜選択されるものであるが、出願人が行った塵埃が多い室内解体現場における実機試験では、これらのサイズを適用することが適しており、特にメッシュサイズについては最適であることを確認している。なお、ここではステンレスメッシュ材を使用しているが、当然これに限られるものではなく、樹脂製フィルタとしてもよい。ただ金属製のフィルタを使用する場合においては、錆びの発生はフィルタの目詰まりに結びつくため、ステンレス材が好適である。
【００４２】
この第１フレーム１２と第２フレーム１３とを組み付けた状態において、第１フィルタ２０と第２フィルタ２１は離間した状態となっているため、このように両フィルタの断面形状を相違させることができている。これは、綿屑や木屑などの大きな塵埃の場合、波形断面の波形の頂点のピッチを小さくすれば、この頂点−頂点に支持されるように例えば木屑が捕獲され、この頂点−頂点間の谷間のフィルタ面は塵埃を捕獲しないまま機能を失ってしまう。したがって、第１フィルタ２０の波形の頂点のピッチはある程度大きく確保する必要がある。これに対して第２フィルタ２１は第１フィルタ２０により大きな塵埃が捕獲されたあとの小さな塵埃を捕獲しようとするものであるので、波形の頂点のピッチを小さくして、フィルタ有効面積を大きくした方が有利である。ただしピッチを小さくし過ぎると、波形の谷間に集中的に塵埃が溜まり、さらにこの清掃が困難になるという問題があるので、このような問題が発生しない程度のピッチにする必要がある。なお、第１フィルタについては平面形状のフィルタとしてもよいが、フィルタ自体の強度が弱くなるため、塵埃が堆積したまま使用すると、フィルタが変形してくる可能性が強い。また第１フィルタの目に捕獲される程度の中程度の塵埃を捕獲するフィルタの有効面積も小さくなる。
【００４３】
以上述べたように、本発明のこの一実施形態においては、従来の技術に比して高い塵埃捕獲機能とフィルタの清掃作業容易性を確保できる。またフィルタを高強度の第１および第２フレームにより保護することができるとともに、第２フレーム１３をボックス形状として、さらに第１フレーム１２と第２フレーム１３とを組み付けることにより、フィルタ装置１１自体を高強度とすることができる。これにより常に振動にさらされる油圧ショベルにおいても、フィルタ装置１１が経年劣化し、各部に隙間が生じるなどして塵埃の捕獲機能が低下することを抑制することができる。
【図面の簡単な説明】
【００４４】
【図１】本発明が適用された油圧ショベルを示す側面図である。
【図２】図１の油圧ショベルのＢ−Ｂ断面の一部を表す図である。
【図３】図２のＣ−Ｃ断面を示す断面図であり、破線はガード７の開放状態を示す。
【図４】図３の状態よりガード７を開放した状態（破線で示す）において、第２フレーム１３を取り外した状態を示す図である。
【図５】第１フレーム１２および第１フィルタ２０を示す断面図である。
【図６】第２フレーム１３および第２フィルタ２１を示す断面図である。
【図７】第１フレーム１２から第２フレーム１３を取り外す過程において、ボルト穴３１，３４を貫通して締め付け固定する図示しないボルトを取り外した状態を示す断面図である。
【図８】第１フレーム１２の正面図である。
【図９】第２フレーム１３の正面図である。
【図１０】従来技術を示す図である。
【図１１】従来技術のフィルタ装置の要部断面図である。
【符号の説明】
【００４５】
１  油圧ショベル
２  下部走行体
３  上部旋回体
４  作業アタッチメント
５  キャブ
６  カウンタウエイト
７  ガード
８  開口部
１０，１０４  ラジエータ
１１  フィルタ装置
１２  第１フレーム
１３  第２フレーム
１４  シール部材
１５  シール部材
２０  第１フィルタ
２１  第２フィルタ
２３  外装（ガード、カウンタウエイト６含む）
２４  ピン
２５  取付部
２６  取付部
２７  縦壁部
２８  引っ掛け部
２９  ヒンジ
３０  第１の冷却風通風開口
３１，３２，３４  ボルト穴
３３  第２の冷却風通風開口
３５  縁部
【図１】
2006328665.tif 000003
【図２】
2006328665.tif 000004
【図３】
2006328665.tif 000005
【図４】
2006328665.tif 000006
【図５】
2006328665.tif 000007
【図６】
2006328665.tif 000008
【図７】
2006328665.tif 000009
【図８】
2006328665.tif 000010
【図９】
2006328665.tif 000011
【図１０】
2006328665.tif 000012
【図１１】
2006328665.tif 000013